(57)【要約】【課題】管理装置用記憶装置として大容量の記憶装置を用いることなく種々の情報を管理することができる情報提供装置及び情報提供方法を提供する。【解決手段】センターサーバ３０がアクセス可能な記憶装置３１には、プロジェクトを示すプロジェクタＩＤと、プロジェクトＩＤに対応する情報を記憶しているプロジェクトサーバ２１、２２のプロジェクトサーバアドレスとの関係を示すプロジェクトサーバデータベースを記憶している。クライアント１１からセンターサーバ３０にプロジェクトＩＤ［０００１］が出力されると、センターサーバ３０は、プロジェクトＩＤ［０００１］に対応するプロジェクトサーバアドレス［ａａａ］をクライアント１１に出力する。クライアント１１は、センターサーバ３０から入力されたプロジェクトサーバアドレス［ａａａ］に対応するプロジェクトサーバ２１にアクセスし、プロジェクトＩＤ［０００１］に対応する情報をダウンロードする。【選択図】        図１
2004213209.tif 000002
【特許請求の範囲】
【請求項１】
管理装置と、管理装置がアクセス可能な管理装置用記憶装置と、端末装置と、端末装置がアクセス可能な端末装置用記憶装置とを備え、
管理装置用記憶装置には、情報ＩＤに対応する端末装置用記憶装置アドレスが記憶されており、
端末装置用記憶装置には、情報ＩＤに対応する情報が記憶されており、
管理装置は、端末装置から情報ＩＤが入力されると、入力された情報ＩＤに対応する端末装置用記憶装置アドレスを端末装置に出力し、
端末装置は、情報ＩＤが指示されると、指示された情報ＩＤを管理装置に出力し、管理装置から端末装置用記憶装置アドレスが入力されると、入力された端末装置用記憶装置アドレスに対応する端末装置用記憶装置から、指示された情報ＩＤに対応する情報を入力する、
情報管理装置。
【請求項２】
請求項１に記載の情報管理装置であって、
管理装置は、指示された情報ＩＤに対応する端末装置用記憶装置アドレスが複数存在する場合には、複数の端末装置用記憶装置アドレスを端末装置に出力し、
端末装置は、管理装置から複数の端末装置用記憶装置アドレスが入力された場合には、入力された複数の端末装置用記憶装置アドレスに対応する複数の端末装置用記憶装置のいずれかから、指示された情報ＩＤに対応する情報を入力し、指示された情報ＩＤに対応する情報を更新情報によって更新する更新処理が指示されると、管理装置から入力された複数の端末装置用記憶装置アドレスに対応する複数の端末装置用記憶装置に更新情報を出力し、
更新情報が入力された端末装置用記憶装置は、入力された更新情報を記憶する、
情報管理装置。
【請求項３】
請求項１に記載の情報管理装置であって、
管理装置は、指示された情報ＩＤに対応する端末装置用記憶装置アドレスが複数存在する場合には、複数の端末装置用記憶装置アドレスを端末装置に出力し、
端末装置は、管理装置から複数の端末装置用記憶装置アドレスが入力された場合には、入力された複数の端末装置用記憶装置アドレスに対応する複数の端末装置用記憶装置のいずれかから、指示された情報ＩＤに対応する情報を入力し、指示された情報ＩＤに対応する情報を更新情報によって更新する更新処理が指示されると、指示された情報ＩＤに対応する情報を入力した端末装置用記憶装置に、更新情報と管理装置から入力された複数の端末装置用記憶装置アドレスに対応する複数の端末装置用記憶装置の中の、指示された情報を入力した端末装置用記憶装置以外の端末装置用記憶装置に対応する端末装置用記憶装置アドレスを出力し、
更新情報と端末装置用記憶装置アドレスが入力された端末装置用記憶装置は、入力された更新情報を記憶するとともに、入力された更新情報を入力された端末装置用記憶装置アドレスに対応する端末装置用記憶装置に出力し、
更新情報が入力された端末装置用記憶装置は、入力された更新情報を記憶する、
情報管理装置。
【請求項４】
請求項１に記載の情報管理装置であって、
管理装置は、指示された情報ＩＤに対応する端末装置用記憶装置アドレスが複数存在する場合には、複数の端末装置用記憶装置アドレスを端末装置に出力するとともに、複数の端末装置用記憶装置アドレスに対応する複数の端末装置用記憶装置のそれぞれに、複数の端末装置用記憶装置の中のそれぞれの端末装置用記憶装置以外の端末装置用記憶装置に対応する端末装置用記憶装置アドレスを出力し、
端末装置は、管理装置から複数の端末装置用記憶装置アドレスが入力された場合には、入力された複数の端末装置用記憶装置アドレスに対応する複数の端末装置用記憶装置のいずれかから、指示された情報ＩＤに対応する情報を入力し、指示された情報ＩＤに対応する情報を更新情報によって更新する更新処理が指示されると、指示された情報ＩＤに対応する情報を入力した端末装置用記憶装置に更新情報を出力し、
端末装置から更新情報が入力された端末装置用記憶装置は、入力された更新情報を記憶するとともに、入力された更新情報を管理装置から入力された端末装置用記憶装置アドレスに対応する端末装置用記憶装置に出力し、
端末装置用記憶装置から更新情報が入力された端末装置用記憶装置は、入力された更新情報を記憶する、
情報管理装置。
【発明の詳細な説明】
【０００１】
【発明の属する技術分野】
本発明は、情報を管理する情報管理装置に関する。
【０００２】
【従来の技術】
近年、例えば、データ情報やデータ情報を処理するプログラム等のプログラム情報等の情報は、複数の箇所（担当者）によって使用されることが多い。例えば、プログラムの開発作業や修正作業を複数の担当者が分担して行ったり、データ情報をプログラムによって処理した結果の確認作業を複数の担当者が行うことがある。このため、データ情報やプログラム情報等の情報を管理する情報管理装置が必要である。
情報管理装置は、例えば、サーバ、サーバ用記憶装置、端末装置により構成される。サーバ用記憶装置には、管理する情報が記憶されている。担当者（例えば、プログラムの開発作業あるいは修正作業を行う担当者、データ情報を修正する担当者、データ情報をプログラムで処理した結果の確認作業を行う担当者）は、作業を行う場合には、サーバ用記憶装置に記憶されている情報を、サーバから端末装置にダウンロードさせる。なお、ダウンロードした情報を修正した場合には、修正した情報を更新情報として端末装置からサーバに出力し、サーバ用記憶装置に記憶させる（アップロードする）。
【０００３】
ここで、情報毎にこのような情報管理装置を構築するとコストが高くなるため、複数の情報を管理可能なサーバを用いた情報管理装置が提案されている。（特許文献１参照）
この従来の情報管理装置は、サーバ、サーバ用記憶装置、端末装置により構成されている。サーバ用記憶装置には、各情報を示す情報ＩＤに対応する情報（データ情報やプログラム情報等）と、そのバージョン情報（更新バージョン情報）が記憶されている。担当者が作業を行う場合には、作業を行う情報を示す情報ＩＤを端末装置に指示する。これにより、端末装置からサーバに、指示された情報ＩＤと、端末装置にダウンロードされている、指示された情報ＩＤに対応する情報のバージョン情報（現バージョン情報）が出力される。サーバは、入力された情報ＩＤに対応する情報の更新バージョン情報と入力された現バージョン情報とを比較し、現バージョン情報が更新バージョン情報より古い場合には、入力された情報ＩＤに対応する情報を端末装置に出力（ダウンロード）する。
なお、ダウンロードした情報を修正した場合には、修正した情報を更新情報として端末装置からサーバに出力し、サーバ用記憶装置に更新バージョン情報とともに記憶させる（アップロードする）。
【０００４】
【特許文献１】
特開２００２−２６８９３２号公報
【０００５】
ところで、サーバ（管理装置）を保有するためには、サーバの保守管理費やサーバ用記憶装置（管理装置用記憶装置）の設備費等が必要であり、コストがかかる。そこで、サーバ貸し出しサービスが行われている。このサーバ貸し出しサービスでは、例えば、サーバの機能とサーバ用記憶装置の機能を貸し出している。なお、サーバ貸し出しサービスでは、主にサーバ用記憶装置の契約記憶容量等によって料金が決定されることが多い。
【０００６】
【発明が解決しようとする課題】
従来の情報管理装置では、サーバ用記憶装置（管理装置用記憶装置）に情報を記憶している。
ここで、近年、情報の量が増大する傾向にあるため、管理装置用記憶装置として大容量の記憶装置を用いる必要があり、管理装置側の設備費や管理費が増大する。なお、サーバ貸し出しサービスを利用する場合には、管理装置用記憶装置の契約記憶容量が増大するため、利用料金が増大する。
そこで、本発明は、管理装置用記憶装置として大容量の記憶装置を用いることなく種々の情報を管理することができる情報提供装置を提供することを目的とする。
【０００７】
【課題を解決するための手段】
前記課題を解決するための本発明の第１発明は、請求項１に記載されたとおりの情報管理装置である。
請求項１に記載の情報管理装置では、情報ＩＤに対応する情報を端末装置用記憶装置に記憶し、情報ＩＤに対応する情報を記憶している端末装置用記憶装置のアドレスを管理装置用記憶装置に記憶し、端末装置は、管理装置から入力された端末装置用記憶装置アドレスに対応する端末装置用記憶装置から、指示された情報ＩＤに対応する情報を入力する。これにより、管理装置用記憶装置は、情報ＩＤに対応する情報を記憶する必要がないため、大容量の記憶装置を用いる必要がなく、管理装置側のコストを低減することができる。特に、管理装置及び管理装置用記憶装置をサーバ貸し出しサービス業者が管理する場合には、ユーザの利用料金に管理装置用記憶装置に記憶されている情報の管理費も含まれるため、ユーザの利用料金を低減することができる。
なお、情報ＩＤに対応する情報は、１つの端末装置用記憶装置に記憶させてもよいし複数の端末装置用記憶装置に記憶させてもよい。情報ＩＤに対応する情報を複数の端末装置用記憶装置に記憶させる場合には、管理装置は、入力された情報ＩＤに対応する情報を記憶している複数の端末装置用記憶装置に対応する複数の端末装置用記憶装置アドレスを端末装置に出力する。また、この場合には、端末装置は、管理装置から力入力された複数の端末装置用記憶装置アドレスに対応する複数の端末装置用記憶装置のいずれかから、指示された情報ＩＤに対応する情報を入力する。複数の端末装置用記憶装置のいずれかから情報を入力する方法としては、例えば、情報ＩＤに対応する情報が入力されるまで、予め定められている優先順位にしたがって端末装置用記憶装置にアクセスする方法を用いることができる。また、情報ＩＤに対応する情報を複数の端末装置用記憶装置に記憶させた場合には、複数の端末装置で同じ情報ＩＤが指示された時でも、指示された情報ＩＤに対応する情報を短時間で各端末装置に入力することができる。さらに、情報ＩＤに対応する情報を複数の端末装置用記憶装置に記憶させることにより、バックアップ機能を持たせることもできる。このような場合も、本発明の「情報管理装置は、指示された情報ＩＤに対応する端末装置用記憶装置アドレスを端末装置に出力し、端末装置は、管理装置から入力された端末装置用記憶装置アドレスに対応する端末装置用記憶装置から、指示された情報ＩＤに対応する情報を入力する」概念に含まれる。
また、本発明の第２発明〜第４発明は、請求項２〜請求項４に記載されたとおりの情報管理装置である。
情報ＩＤに対応する情報を複数の端末装置用記憶装置に記憶させる場合には、情報の更新処理は、その情報を記憶している端末装置用記憶装置のすべてで行う必要がある。複数の端末装置用記憶装置のすべてで更新処理を行わせるためには、種々の構成を用いることができる。
請求項２に記載の情報管理装置では、複数の端末装置用記憶装置のそれぞれに端末装置から更新情報を出力する。
請求項３に記載の情報管理装置では、指示された情報ＩＤに対応する情報を入力した端末装置用記憶装置に端末装置から更新情報と、管理装置から入力された複数の端末装置用記憶装置アドレスに対応する複数の端末装置用記憶装置の中の、指示された情報を入力した端末装置用記憶装置以外の端末装置用記憶装置に対応する端末装置用記憶装置のアドレスを出力し、指示された情報を入力した端末装置用記憶装置から他の端末装置用記憶装置に更新情報を出力させる。
請求項４に記載の情報管理装置では、管理装置から複数の端末装置用記憶装置のそれぞれに、複数の端末装置用記憶装置の中のそれぞれの端末装置用記憶装置以外の端末装置用記憶装置に対応する端末装置用記憶装置アドレスを出力し、指示された情報ＩＤに対応する情報を入力した端末装置用記憶装置に端末装置から更新情報を出力し、指示された情報を入力した端末装置用記憶装置から他の端末装置用記憶装置に更新情報を出力させる。
なお、各端末装置用記憶装置に更新情報を出力するタイミングは適宜設定可能である。
【０００８】
【発明の実施の形態】
以下に、本発明の実施の形態を図面を参照して説明する。
本発明の情報管理装置の第１の実施の形態の概略構成図を図１に示す。
本実施の形態の情報管理装置は、クライアント１１、１２、クライアント１１、１２がアクセス可能なプロジェクトサーバ２１、２２、センターサーバ３０、センターサーバ３０がアクセス可能な記憶装置３１等により構成されている。各装置は、通信回線４０によって接続可能である。
クライアント１１、１２は、パソコン等によって構成可能であり、ＣＰＵ等の処理手段、液晶表示装置等の表示手段、キーボード等の入力手段、ＲＯＭやＲＡＭ等の記憶手段を有している。
プロジェクトサーバ２１、２２は、パソコン等によって構成可能であり、プロジェクト（情報）を示すプロジェクトＩＤに対応する情報（データ情報やプログラム情報等）を記憶する記憶装置としての機能と、クライアント１１、１２や他のプロジェクトサーバとの間で情報を入出力（送受信）する機能とを備えている。プロジェクトサーバ２１、２２には、プロジェクトサーバアドレスが設定されている。プロジェクトＩＤとしては、番号、記号、プロジェクト名等を使用可能である。
なお、プロジェクトサーバ２１、２２は、クライアント１１、１２や他のプロジェクトサーバとの間で情報を入出力（送受信）する機能が不要である場合には、サーバ機能を有していない記憶装置を用いることもできる。また、プロジェクトサーバ２１、２２は、クライアント１１、１２と兼用してもよい。また、プロジェクトサーバ２１、２２の記憶装置として、クライアント１１、１２に設けられている記憶装置を用いることもできる。
サーバ３０は、パソコン等によって構成可能であり、ＣＰＵ等の処理手段、液晶表示装置等の表示手段、キーボード等の入力手段、ＲＯＭやＲＡＭ等の記憶手段を有している。
記憶装置３１には、プロジェクトＩＤと、プロジェクトＩＤに対応する情報を記憶しているプロジェクトサーバ２１、２２のプロジェクトサーバアドレスとの対応関係を示すプロジェクトサーバデータベースが記憶されている。なお、記憶装置３１として、センターサーバ３０に設けられている記憶装置を用いることもできる。
【０００９】
本実施の形態では、クライアント１１、１２が本発明の「端末装置」に対応し、プロジェクトサーバ２１、２２が本発明の「端末装置用記憶装置」に対応し、センターサーバ３０が本発明の「管理装置」に対応し、記憶装置３１が本発明の「管理装置用記憶装置」に対応し、プロジェクトＩＤが本発明の「情報ＩＤ」に対応し、プロジェクトサーバアドレスが本発明の「端末装置用記憶装置アドレス」に対応する。
【００１０】
次に、図１に示す第１の実施の形態の情報管理装置を用いて情報を管理する方法を図２に示す動作図により説明する。
なお、本実施の形態では、プロジェクトＩＤに対応する情報が１つのプロジェクトサーバに記憶されている。例えば、プロジェクトＩＤ［０００１］、［０００２］、［０００３］に対応する情報は、それぞれ、プロジェクトサーバアドレス［ａａａ］を有するプロジェクトサーバ（Ａ）、プロジェクトサーバアドレス［ｂｂｂ］を有するプロジェクトサーバ（Ｂ）、プロジェクトサーバアドレス［ｃｃｃ］を有するプロジェクトサーバ（Ｃ）に記憶されているものとする。
また、記憶装置３１には、図１に示すようなプロジェクトＩＤとプロジェクトサーバアドレスとの対応関係を示すプロジェクトサーバデータベースが記憶されているものとする。
【００１１】
以下では、担当者が、クライアント１１にプロジェクトＩＤ［０００１］に対応する情報をダウンロードして作業を行う場合について説明する。
担当者は、例えば、クライアント１１の表示手段にプロジェクトＩＤ入力画面を表示させた状態で、プロジェクトＩＤ［０００１］を指示（入力）する。これにより、クライアント１１は、プロジェクトＩＤ［０００１］を含むプロジェクトサーバアドレス要求信号をセンターサーバ３０に出力（送信）する。（図２のステップ（１））
センターサーバ３０は、クライアント１１からプロジェクトサーバアドレス要求信号が入力（受信）されると、記憶回路３１のプロジェクトサーバデータベースに基づいて、プロジェクトサーバアドレス要求信号に含まれているプロジェクトＩＤ［０００１］に対応するプロジェクトサーバアドレス［ａａａ］を判別する。そして、センターサーバ３０は、プロジェクトサーバアドレス［ａａａ」を、プロジェクトサーバアドレス要求信号を出力したクライアント１１に出力する。（図２のステップ（２））
【００１２】
クライアント１１は、センターサーバ３０からプロジェクトサーバアドレス［ａａａ］が入力されると、入力されたプロジェクトサーバアドレス［ａａａ］を有するプロジェクトサーバ（Ａ）２１にアクセスし（例えば、プロジェクトサーバアドレス［ａａａ］を含む呼出信号を出力し）、プロジェクトＩＤ［０００１］に対応する情報の出力（ダウンロード）を要求する。（図２のステップ（３））
ここで、プロジェクトサーバにプロジェクトＩＤに対応する情報のダウンロードを要求する方法は、プロジェクトサーバでの記憶情報の管理方法に応じて決定される。例えば、プロジェクトサーバに１つの情報しか記憶されていない場合には、プロジェクトサーバにアクセスするだけでよい。一方、プロジェクトサーバに複数の情報が記憶されており、各情報がプロジェクトＩＤによって管理されている場合には、プロジェクトＩＤを含むダウンロード要求信号を出力する。また、プロジェクトサーバに複数の情報が記憶されており、各情報がプロジェクトサーバ内のアドレスによって管理されている場合には、プロジェクトＩＤに対応するアドレスを含むダウンロード要求信号出力する。この場合には、例えば、記憶装置３１のプロジェクトサーバデータベース内のプロジェクトサーバアドレスに、プロジェクトサーバ内のアドレスを含ませておく。
【００１３】
プロジェクトサーバ（Ａ）２１は、クライアント１１からアクセスされ、プロジェクトＩＤ［０００１］に対応する情報の出力（ダウンロード）が要求されると、プロジェクトＩＤ［０００１］に対応する情報を読み出してクライアント１１に出力（ダウンロード）する。（図２のステップ（４））
担当者は、クライアント１１にダウンロードした情報の修正作業等を実行する。そして、修正後の情報を、プロジェクトＩＤ［０００１］に対応する情報の更新情報としてプロジェクトサーバ（Ａ）２１に記憶させる更新処理を実行する必要がある場合には、担当者は、更新処理を指示する。これにより、クライアント１１は、更新情報をプロジェクトサーバ（Ａ）２１に出力し、プロジェクトＩＤ［０００１］に対応する情報の更新を要求する。プロジェクトサーバにプロジェクトＩＤに対応する情報の更新を要求する方法は、プロジェクトサーバにダウンロードを要求する場合と同様に、プロジェクトサーバでの記憶情報の管理方法によって決定される。
プロジェクトサーバ（Ａ）２１は、クライアント１１からプロジェクトＩＤ［０００１］に対応する情報を更新情報によって更新することが要求されると、更新情報をプロジェクトＩＤ［０００１］に対応する情報として記憶（アップロード）する。（図２のステップ（５））
【００１４】
第１の実施の形態では、プロジェクトＩＤに対応する情報を１つのプロジェクトサーバに記憶している。ここで、例えば、複数のクライアントから同じプロジェクトサーバにダウンロードが要求（同じ情報あるいは異なる情報に対する要求）された場合には、一方のクライアントは他方のクライアントへのダウンロードが完了するまで待機する必要がある。あるいは、ダウンロードを行っているプロジェクトサーバに他のクライアントからダウンロードが要求された場合には、他のクライアントは、実行中のダウンロードが完了するまで待機する必要がある。このような待機時間を減少させ、プロジェクトサーバから短時間でクライアントに情報を入力（ダウンロード）できるようにする方法としては、例えば、プロジェクトＩＤに対応する情報を複数のプロジェクトサーバに記憶させる方法が考えられる。
【００１５】
プロジェクトＩＤに対応する情報を複数のプロジェクトサーバに記憶させる、本発明の情報管理装置の第２の実施の形態の概略構成図を図３に示す。
本実施の形態の情報管理装置は、第１の実施の形態と同様に、クライアント１１、１２、クライアント１１、１２がアクセス可能なプロジェクトサーバ２１ａ〜２１ｃ、２２ａ、センターサーバ３０、センターサーバ３０がアクセス可能な記憶装置３１等により構成されている。
本実施の形態は、プロジェクトＩＤに対応する情報が複数のプロジェクトサーバに記憶されている点が第１の実施の形態と相違している。これにともない、プロジェクタサーバからクライアントにプロジェクトＩＤに対応する情報を入力（ダウンロード）する方法及びクライアントからプロジェクトサーバに更新情報を出力（アップロード）する方法が第１の実施の形態と相違している。
【００１６】
本実施の形態では、クライアント１１、１２が本発明の「端末装置」に対応し、プロジェクトサーバ２１ａ〜２１ｃ、２２ａが本発明の「端末装置用記憶装置」に対応し、センターサーバ３０が本発明の「管理装置」に対応し、記憶装置３１が本発明の「管理装置用記憶装置」に対応し、プロジェクトＩＤが本発明の「情報ＩＤ」に対応し、プロジェクトサーバアドレスが本発明の「端末装置用記憶装置アドレス」に対応する。
【００１７】
次に、図３に示す第２の実施の形態の情報管理装置を用いて情報を管理する方法を図４に示す動作図により説明する。
なお、本実施の形態では、プロジェクトＩＤ［０００１］に対応する情報は、プロジェクトサーバアドレス［ｘｘｘ］を有するプロジェクトサーバ（Ｘ）、プロジェクトサーバアドレス［ｙｙｙ］を有するプロジェクトサーバ（Ｙ）、プロジェクトサーバアドレス［ｚｚｚ］を有するプロジェクトサーバ（Ｚ）に記憶され、プロジェクトＩＤ［０００２］に対応する情報は、プロジェクトサーバアドレス［ｂｂｂ］を有するプロジェクトサーバ（Ｂ）に記憶され、プロジェクトＩＤ［０００３］に対応する情報は、プロジェクトサーバアドレス［ｃｃｃ］を有するプロジェクトサーバ（Ｃ）に記憶されているものとする。
また、記憶装置３１には、図３に示すようなプロジェクトＩＤとプロジェクトサーバアドレスとの対応関係を示すプロジェクトサーバデータベースが記憶されているものとする。
【００１８】
例えば、担当者が、クライアント１１にプロジェクトＩＤ［０００１］を指示（入力）する。これにより、クライアント１１は、プロジェクトＩＤ［０００１］を含むプロジェクトサーバアドレス要求信号をセンターサーバ３０に出力する。（図４のステップ（１））
センターサーバ３０は、クライアント１１からプロジェクトサーバアドレス要求信号が入力されると、記憶回路３１のプロジェクトサーバデータベースに基づいて、プロジェクトサーバアドレス要求信号に含まれているプロジェクトＩＤ［０００１］に対応するプロジェクトサーバアドレス［ｘｘｘ］、［ｙｙｙ］、［ｚｚｚ］を判別し、クライアント１１に出力する。（図４のステップ（２））
【００１９】
クライアント１１は、センターサーバ３０から複数のプロジェクトサーバアドレス［ｘｘｘ］、［ｙｙｙ］、［ｚｚｚ］が入力されると、入力された複数のプロジェクトサーバアドレス［ｘｘｘ］、［ｙｙｙ］、［ｚｚｚ］に対応するプロジェクトサーバ２１ａ〜２１ｃのいずれかから、プロジェクトＩＤ［０００１］に対応する情報を入力（ダウンロード）する。
複数のプロジェクトサーバのいずれかからプロジェクトＩＤに対応する情報を入力する方法としては、種々の方法を用いることができる。例えば、プロジェクトサーバから情報が入力されるまで、予め定められた優先順位の順あるいはランダムにアクセスし、プロジェクトＩＤ［０００１］に対応する情報のダウンロードを要求する。
図４では、プロジェクトサーバアドレス［ｘｘｘ］を有するプロジェクトサーバ（Ｘ）２１ａにアクセスし（図４のステップ（３））、プロジェクトサーバ（Ｘ）２１ａからプロジェクトＩＤ［０００１］に対応する情報が入力（ダウンロード）されたこと（図４のステップ（４））が示されている。
プロジェクトサーバ（Ｘ）２１ａからプロジェクトＩＤ［０００１］に対応する情報が入力されない場合には、次の優先順位のプロジェクトサーバにアクセスする。例えば、プロジェクトサーバ（Ｘ）２１ａに呼出信号を出力した後、所定時間内にプロジェクタサーバ（Ｘ）２１ａからプロジェクトＩＤ［０００１］に対応する情報が入力されない時、次のプロジェクトサーバアドレスを有するプロジェクトサーバ（例えば、プロジェクトサーバアドレス［ｙｙｙ］を有するプロジェクトサーバ（Ｙ）２１ｂ）にアクセスする。
【００２０】
担当者は、クライアント１１にダウンロードした情報の修正作業等を実行する。そして、修正後の情報を、プロジェクトＩＤ［０００１］に対応する情報の更新情報としてプロジェクトサーバに記憶させる更新処理を実行させる必要がある場合には、担当者は、更新処理を指示する。
ここで、プロジェクトＩＤ［０００１］に対応する情報はプロジェクトサーバ２１ａ〜２１ｃに記憶されているため、プロジェクトサーバ２１ａ〜２１ｃそれぞれに記憶されているプロジェクトＩＤ［０００１］に対応する情報を更新する必要がある。複数のプロジェクトサーバに記憶されている情報を更新する方法としては、種々の方法が可能である。
本実施の形態では、クライアントから、プロジェクトＩＤに対応する情報を記憶しているプロジェクトサーバのすべてに更新情報を出力（アップロード）する方法を用いている。
すなわち、クライアント１１は、更新情報をプロジェクトサーバアドレス［ｘｘｘ］を有するプロジェクトサーバ２１ａに出力し、プロジェクトＩＤ［０００１］に対応する情報の更新（アップロード）を要求する。（図４のステップ（５））
また、クライアント１１は、更新情報をプロジェクトサーバアドレス［ｙｙｙ］を有するプロジェクトサーバ２１ｂに出力し、プロジェクトＩＤ［０００１］に対応する情報の更新（アップロード）を要求する。（図４のステップ（６））
また、クライアント１１は、更新情報をプロジェクトサーバアドレス［ｚｚｚ］を有するプロジェクトサーバ２１ｃに出力し、プロジェクトＩＤ［０００１］に対応する情報の更新（アップロード）を要求する。（図４のステップ（７））
以上の処理によって、プロジェクトＩＤ［０００１］に対応する情報を記憶するプロジェクトサーバ２１ａ〜２１ｃには、同じ情報が記憶されることになる。なお、図４のステップ（５）、（６）及び（７）の処理は、同時に行ってもよいし、異なる時期に行ってもよい。
【００２１】
複数のプロジェクトサーバに記憶されている同じプロジェクトＩＤに対応する情報を更新する方法の他の実施の形態を、図５の動作図により説明する。
本実施の形態では、クライアントからプロジェクトＩＤに対応する情報を入力したプロジェクトサーバに更新情報と他のプロジェクトサーバのアドレスを出力し、プロジェクトＩＤに対応する情報を入力したプロジェクトサーバから他のプロジェクトサーバに更新情報を出力させる方法を用いている。
【００２２】
例えば、担当者は、クライアント１１にプロジェクトＩＤ［０００１］を指示（入力）する。これにより、クライアント１１は、プロジェクトＩＤ［０００１］を含むプロジェクトサーバアドレス要求信号をセンターサーバ３０に出力する。（図５のステップ（１））
センターサーバ３０は、クライアント１１からプロジェクトサーバアドレス要求信号が入力されると、記憶回路３１のプロジェクトサーバデータベースに基づいて、プロジェクトサーバアドレス要求信号に含まれているプロジェクトＩＤ［０００１］に対応するプロジェクトサーバアドレス［ｘｘｘ］、［ｙｙｙ］、［ｚｚｚ］を判別し、クライアント１１に出力する。（図５のステップ（２））
クライアント１１は、センターサーバ３０から入力されたプロジェクトサーバアドレス［ｘｘｘ］、［ｙｙｙ］、［ｚｚｚ］に対応するプロジェクトサーバ２１ａ〜２１ｃのいずれかにアクセスし（図５のステップ（３））、プロジェクトＩＤ［０００１］に対応する情報を入力（ダウンロード）する（図５のステップ（４））。図５では、プロジェクトサーバアドレス［ｘｘｘ］を有するプロジェクトサーバ（Ｘ）２１ａから情報が入力されたことが示されている。
【００２３】
担当者は、クライアント１１にダウンロードした情報の修正作業等を実行する。そして、修正後の情報を、プロジェクトＩＤ［０００１］に対応する情報の更新情報としてプロジェクトサーバに記憶させる更新処理を実行する必要がある場合には、担当者は、更新処理を指示する。
クライアント１１は、更新処理が指示されると、プロジェクトＩＤ［０００１］に対応する情報を入力したプロジェクトサーバ、この場合、プロジェクトサーバ（Ｘ）２１ａに更新情報を出力し、プロジェクトＩＤ［０００１］に対応する情報を更新情報によって更新することを要求する。この時、クライアント１１は、ステップ（２）でセンターサーバ３０から入力されたプロジェクトサーバアドレス［ｘｘｘ］、［ｙｙｙ］、［ｚｚｚ］のうち、更新を要求するプロジェクトサーバ（Ｘ）２１ａのプロジェクトサーバアドレス［ｘｘｘ］を除く他のプロジェクトサーバアドレス［ｙｙｙ］、［ｚｚｚ］をプロジェクトサーバ（Ｘ）２１ａに出力する。
更新情報とプロジェクトサーバアドレス［ｙｙｙ］、［ｚｚｚ］が入力されたプロジェクトサーバ（Ｘ）２１ａは、入力された更新情報をプロジェクトＩＤ［０００１］に対応する情報として記憶（アップロード）する。（図５のステップ（５））また、プロジェクトサーバ（Ｘ）２１ａは、入力された更新情報を、入力されたプロジェクトサーバアドレス［ｙｙｙ］及び［ｚｚｚ］に対応するプロジェクトサーバ（Ｙ）２１ｂ及びプロジェクトサーバ（Ｚ）２１ｃに出力し、プロジェクトＩＤ［０００１］に対応する情報を更新情報によって更新することを要求する。
更新情報が入力されたプロジェクトサーバ（Ｙ）２１ｂは、入力された更新情報をプロジェクトＩＤ［０００１］に対応する情報として記憶（アップロード）する。（図５のステップ（６））
更新情報が入力されたプロジェクトサーバ（Ｚ）２１ｃは、入力された更新情報をプロジェクトＩＤ［０００１］に対応する情報として記憶（アップロード）する。（図５のステップ（７））
なお、ステップ（５）、（６）、（７）の処理は、同時に行ってもよいし、異なる時期に行ってもよい。
【００２４】
複数のプロジェクトサーバに記憶されている同じプロジェクトＩＤに対応する情報を更新する方法の他の実施の形態を、図６の動作図により説明する。
本実施の形態では、センターサーバからクライアントに複数のプロジェクトサーバアドレスを出力する時に、複数のプロジェクトサーバアドレスに対応する複数のプロジェクトサーバのそれぞれに他のプロジェクトサーバのアドレスを出力し、プロジェクトＩＤに対応する情報を入力したプロジェクトサーバにクライアントから更新情報を出力し、プロジェクトＩＤに対応する情報を入力したプロジェクトサーバから他のプロジェクトサーバに更新情報を出力させる方法を用いている。
【００２５】
例えば、担当者は、クライアント１１にプロジェクトＩＤ［０００１］を指示（入力）する。これにより、クライアント１１は、プロジェクトＩＤ［０００１］を含むプロジェクトサーバアドレス要求信号をセンターサーバ３０に出力する。（図６のステップ（１））
センターサーバ３０は、クライアント１１からプロジェクトサーバアドレス要求信号が入力されると、記憶回路３１のプロジェクトサーバデータベースに基づいて、プロジェクトサーバアドレス要求信号に含まれているプロジェクトＩＤ［０００１］に対応するプロジェクトサーバアドレス［ｘｘｘ］、［ｙｙｙ］、［ｚｚｚ］を判別し、クライアント１１に出力する。（図６のステップ（２））
この時、センターサーバ３０は、プロジェクトＩＤに対応する複数のプロジェクトサーバアドレスに対応する複数のプロジェクトサーバそれぞれに、他のプロジェクトサーバのプロジェクトサーバアドレスを出力する。
この場合、プロジェクトサーバアドレス［ｘｘｘ］を有するプロジェクトサーバ（Ｘ）２１ａに、他のプロジェクトサーバのプロジェクトサーバアドレス［ｙｙｙ］、［ｚｚｚ］を出力する。（図６のステップ（３））
また、プロジェクトサーバアドレス［ｙｙｙ］を有するプロジェクトサーバ（Ｙ）２１ｂに、他のプロジェクトサーバのプロジェクトサーバアドレス［ｘｘｘ］、［ｚｚｚ］を出力する。（図６のステップ（４））
また、プロジェクトサーバアドレス［ｚｚｚ］を有するプロジェクトサーバ（Ｚ）２１ｃに、他のプロジェクトサーバのプロジェクトサーバアドレス［ｘｘｘ］、［ｙｙｙ］を出力する。（図６のステップ（５））
【００２６】
クライアント１１は、センターサーバ３０から複数のプロジェクトサーバアドレス［ｘｘｘ］、［ｙｙｙ］、［ｚｚｚ］が入力されると、入力された複数のプロジェクトサーバアドレス［ｘｘｘ］、［ｙｙｙ］、［ｚｚｚ］に対応するプロジェクトサーバ２１ａ〜２１ｃのいずれかにアクセスし（図６のステップ（６））、プロジェクトＩＤ［０００１］に対応する情報を入力（ダウンロード）する（図６のステップ（７））。図６では、プロジェクトサーバアドレス［ｘｘｘ］を有するプロジェクトサーバ（Ｘ）２１ａからプロジェクトＩＤ［０００１］に対応する情報が入力（ダウンロード）されたことを示している。
【００２７】
担当者は、クライアント１１にダウンロードした情報の修正作業等を実行する。そして、修正後の情報を、プロジェクトＩＤ［０００１］に対応する情報の更新情報としてプロジェクトサーバに記憶させる更新処理を実行する必要がある場合には、担当者は、更新処理を指示する。
クライアント１１は、更新処理が指示されると、プロジェクトＩＤに対応する情報を入力（ダウンロード）したプロジェクトサーバ、この場合、プロジェクトサーバ（Ｘ）２１ａに更新情報を出力し、プロジェクトＩＤ［０００１］に対応する情報を更新情報によって更新することを要求する。
クライアント１１から更新情報が入力されたプロジェクトサーバ（Ｘ）２１ａは、入力された更新情報をプロジェクトＩＤ［０００１］に対応する情報として記憶（アップロード）する。（図６のステップ（８））
また、プロジェクトサーバ（Ｘ）２１ａは、入力された更新情報を、ステップ（３）でセンターサーバ３０から入力された他のプロジェクトサーバのプロジェクトサーバアドレス［ｙｙｙ］を有するプロジェクトサーバ（Ｙ）２１ｂ及びプロジェクトサーバアドレス［ｚｚｚ］を有するプロジェクトサーバ（Ｚ）２１ｃに出力する（図６のステップ（１０））。
他のプロジェクトサーバから更新情報が入力されたプロジェクトサーバ（Ｙ）２１ｂ及びプロジェクトサーバ（Ｚ）２１ｃは、入力された更新情報をプロジェクトＩＤ［０００１］に対応する情報として記憶（アップロード）する。（図６のステップ（９）及び（１０））
【００２８】
なお、前記した実施の形態において、プロジェクトサーバに、プロジェクトＩＤに対応する情報とともにその情報のバージョン情報（更新バージョン情報）を記憶させてもよい。この場合、情報を更新する毎にその情報の更新バージョン情報も更新する。そして、クライアントがプロジェクトサーバにアクセスした時、クライアントにダウンロードされている情報のバージョン情報（現バージョン情報）がプロジェクトサーバに記憶されている更新バージョン情報より古い場合にのみ、プロジェクトサーバからクライアントに情報を出力（ダウンロード）するように構成する。
この方法を用いると、プロジェクトサーバからクライアントに情報を出力する（ダウンロードする）回数が減少するため、処理負担が軽減される。また、通信負荷も軽減される。
【００２９】
以上のように、本発明では、端末装置用記憶装置に、情報ＩＤに対応する情報を記憶させ、管理装置用記憶装置に、情報ＩＤに対応する情報を記憶している端末装置用記憶装置のアドレスを記憶させているため、管理装置用記憶装置に、情報ＩＤに対応する情報を記憶させる必要がないため、大容量の記憶装置を用いる必要がない。これにより、管理装置側のコストを低減することができる。
特に、管理装置及び管理装置用記憶装置をサーバ貸し出しサービスを行う業者が管理する場合には、大容量の管理装置用記憶装置を設ける必要がなく、また、管理装置用記憶装置に記憶されている情報の保管費用が不要であるため、ユーザの利用料金を低く設定することができる。
また、情報ＩＤに対応する情報を管理装置用記憶装置に記憶させないため、管理装置と端末装置との間の通信回線として低容量の通信回線を用いることもできる。
また、データ情報を端末装置用記憶装置に記憶させるため、データ情報等を管理装置用記憶装置等の外部の記憶装置に記憶させたくないユーザも利用することができる。特に、パチンコ機等の遊技機の遊技情報（遊技媒体の払出し数や打ち込み数等）は遊技場の経営を左右する釘の調整に用いられるため、きわめて秘匿性が高いデータ情報であるが、本発明を用いることにより、このような遊技情報を外部の記憶装置に記憶させることなく管理することができる。例えば、チェーン店の遊技場において、データ情報である遊技情報は各遊技場の管理下の記憶装置に記憶させておき、その遊技情報を記憶している記憶装置のアドレス（端末装置用記憶装置アドレス）を外部業者のセンターサーバで管理させることができる。
【００３０】
本発明は、実施の形態で説明した構成に限定されることなく種々の変更、追加、削除が可能である。
例えば、情報ＩＤに対応する情報を１つの端末装置用記憶装置に記憶させる構成としてもよいし、複数の端末装置用記憶装置に記憶させる構成としてもよいし、１つの端末装置用記憶装置に記憶させるものと複数の端末装置に記憶させるものを混在させて構成してもよい。
また、情報ＩＤに対応する情報を複数の端末装置用記憶装置に記憶させる場合、複数の端末装置用記憶装置のいずれかから端末装置にダウンロードする方法や複数の端末装置用記憶装置にアップロードする方法としては、種々の方法を用いることができる。
また、情報ＩＤに対応する情報を管理装置用記憶装置と端末装置用記憶装置に分散させて記憶させてもよい。例えば、修正頻度が少ない情報や小容量の情報は管理装置用記憶装置に記憶させ、頻繁に修正される情報や大容量の情報は端末装置用記憶装置に記憶させるように構成することもできる。
また、本発明は種々の分野で用いることができる。本発明は、例えば、プログラムの作成作業、ホームページの作成作業、マニュアル等のドキュメントの作成作業に適している。また、社外の業者との取引が多い業種、チェーン店間では情報を共有したいが、第三者の記憶装置（例えば、サーバ貸し出しサービスを行っている業者が管理している管理装置用記憶装置）には情報を記憶させたくない業種等での利用に適している。
【００３１】
本発明は、方法として構成することもできる。
例えば、「（態様１）管理装置、端末装置、情報ＩＤに対応する情報を記憶する端末装置用記憶装置を用いて情報を管理する情報管理方法であって、端末装置から管理装置に指示された情報ＩＤを出力し、管理装置から端末装置に、指示された情報ＩＤに対応する情報を記憶している端末装置用記憶装置の端末装置用記憶装置アドレスを出力し、端末装置において、管理装置から入力された端末装置用記憶装置アドレスに対応する端末装置用記憶装置のいずれかから、指示された情報ＩＤに対応する情報を入力する、情報管理方法。」として構成することができる。この場合、情報ＩＤに対応する情報は１つの端末装置用記憶装置に記憶させてもよいし複数の端末装置用記憶装置に記憶させてもよい。情報ＩＤに対応する情報を１つの端末装置用記憶装置に記憶させる場合には、管理装置から端末装置に１つの端末装置用記憶装置アドレスが出力され、端末装置は、入力された端末装置用記憶装置アドレスに対応する端末装置用記憶装置から、指示された情報ＩＤに対応する情報を入力する。したがって、情報ＩＤに対応する情報を１つの端末装置用記憶装置に記憶させる場合も、態様１の「端末装置は、管理装置から入力された端末装置用記憶装置アドレスに対応する端末装置用記憶装置のいずれかから情報を入力する」概念に含まれる。
また、「（態様２）態様１の情報管理方法であって、指示された情報ＩＤに対応する情報を端末装置用記憶装置のいずれかから入力した後の、指示された情報ＩＤに対応する情報を更新情報によって更新する更新処理の指示に応答して、指示された情報ＩＤに対応する情報を記憶している端末装置用記憶装置アドレスに対応する端末装置用記憶装置のすべてに更新情報を記憶させる、情報管理方法。」として構成することができる。
方法として構成した場合にも、前記した効果が得られる。
【００３２】
【発明の効果】
以上説明したように、請求項１〜４に記載の情報管理装置を用いれば、大容量の管理装置用記憶装置を用いることなく種々の情報を管理することができる。
【図面の簡単な説明】
【図１】本発明の情報管理装置の第１の実施の形態の概略構成図である。
【図２】本発明の情報管理方法の第１の実施の形態を説明する動作図である。
【図３】本発明の情報管理装置の第２の実施の形態の概略構成図である。
【図４】本発明の情報管理方法の第２の実施の形態を説明する動作図である。
【図５】本発明の情報管理方法の第３の実施の形態を説明する動作図である。
【図６】本発明の情報管理方法の第４の実施の形態を説明する動作図である。
【符号の説明】
１１、２１  クライアント（端末装置）
２１、２２、２１ａ〜２１ｃ、２２ａ  プロジェクトサーバ（端末装置用記憶装置）
３０  センターサーバ（管理装置）
３１  記憶装置（管理装置用記憶装）
【図１】
2004213209.tif 000003
【図２】
2004213209.tif 000004
【図３】
2004213209.tif 000005
【図４】
2004213209.tif 000006
【図５】
2004213209.tif 000007
【図６】
2004213209.tif 000008